(57)【要約】      （修正有）【課題】製造及び取付け作業工程が簡単で、各種ニーズに対応した広告、看板の各種媒体として提供できる装飾体を提供する。【解決手段】装飾体１０は、プレート１１Ａ，１１Ｂを発泡樹脂製のフレーム１２に取り付けて構成される。プレート１１Ａ，１１Ｂは、文字、図形、記号の少なくとも何れかが付される。フレーム１２は、プレートの輪郭に沿った輪郭形状を有し、その輪郭で中空１２Ａを囲むように形成されている。輪郭の内周面１２ＢにはＬＥＤモジュール１３が取り付けられ、ＬＥＤモジュール１３が中空１２Ａの中心に向けて投光し、第１及び第２プレートに付した文字、図形、記号の何れかが内側から照らされる。【選択図】図２
0003198707.tif 000002
【実用新案登録請求の範囲】
【請求項１】
文字、図形、記号の少なくとも何れかが付されるプレートと、
前記プレートの輪郭に沿った輪郭形状を有し、その輪郭で中空を囲むように形成された発泡樹脂製のフレームと、
を備え、前記フレームに前記プレートが取り付けられた、装飾体。
【請求項２】
前記フレームの輪郭の内周面にはＬＥＤモジュールが取り付けられ、前記ＬＥＤモジュールが中空に向けて投光し、前記プレートに付した文字、図形、記号の何れかが内側から照らされる、請求項１に記載の装飾体。
【請求項３】
前記プレートは、前記フレームの輪郭に沿った枠部と、前記枠部に取り付けられた本体部とで構成され、前記枠部に前記本体部が脱着自在に取り付けられている、請求項１又は２に記載の装飾体。
【請求項４】
前記プレートには前記プレートの輪郭に沿ってＬＥＤ素子が並んで配置されている、請求項１乃至３の何れかに記載の装飾体。
【請求項５】
前記フレームを第１フレームとし、前記プレートを第１プレートとし、前記第１プレートと形状及び寸法が異なる第２のプレートと前記第１プレートとが前記第１フレームの両側に取り付けられ、前記第２プレートの前記第１プレートに対向する面にＬＥＤモジュールが取り付けられて、前記第１プレートの外側に向けて前記ＬＥＤモジュールからの光が照射される、請求項１に記載の装飾体。
【請求項６】
前記第１プレートには前記第１フレームよりも小さな第２フレームが取り付けられ、前記第２フレームに第３プレートが取り付けられ、前記第３プレートには前記第１プレートと逆側に向けて複数のＬＥＤ素子が並んで取り付けられている、請求項５に記載の装飾体。
【考案の詳細な説明】
【技術分野】
【０００１】
本考案は、広告や看板などの各種媒体として好適な人の目を引く装飾体に関する。
【背景技術】
【０００２】
事業を営む企業は、広告や看板などの各種媒体を用いて人目を引くよう工夫している。広告や看板などの各種媒体は、例えば、直方体状の枠組みを構成したフレームに対して６枚のプレートを取り付けて、その内部を中空にし、その中空内部を照明している。プレートには、透光性を有して、文字、記号、図形を付している。また、各種媒体に後付けでフレームに沿ってＬＥＤ照明を付けている。
【考案の開示】
【考案が解決しようとする課題】
【０００３】
しかしながら、フレームで枠組みを構成するので作業工程が多く手間が掛かり、各種ニーズに対応した広告、看板の各種媒体を提供することが難しい。
【０００４】
そこで、本考案では、製造作業工程が簡単で、また設置作業も簡易な各種ニーズに対応した広告、看板の各種媒体として提供できる装飾体を提供することを目的とする。
【課題を解決するための手段】
【０００５】
本考案のコンセプトは以下の通りである。
［１］  文字、図形、記号の少なくとも何れかが付されるプレートと、
前記プレートの輪郭に沿った輪郭形状を有し、その輪郭で中空を囲むように形成された発泡樹脂製のフレームと、
を備え、前記フレームに前記プレートが取り付けられた、装飾体。
［２］  前記フレームの輪郭の内周面にはＬＥＤモジュールが取り付けられ、前記ＬＥＤモジュールが中空に向けて投光し、前記プレートに付した文字、図形、記号の何れかが内側から照らされる、前記［１］に記載の装飾体。
［３］  前記プレートは、前記フレームの輪郭に沿った枠部と、前記枠部に取り付けられた本体部とで構成され、前記枠部に前記本体部が脱着自在に取り付けられている、前記［１］又は［２］に記載の装飾体。
［４］  前記プレートには前記プレートの輪郭に沿ってＬＥＤ素子が並んで配置されている、前記［１］乃至［３］の何れかに記載の装飾体。
［５］  前記フレームを第１フレームとし、前記プレートを第１プレートとし、前記第１プレートと形状及び寸法が異なる第２のプレートと前記第１プレートとが前記第１フレームの両側に取り付けられ、前記第２プレートの前記第１プレートに対向する面にＬＥＤモジュールが取り付けられて、前記第１プレートの外側に向けて前記ＬＥＤモジュールからの光が照射される、前記［１］に記載の装飾体。
［６］  前記第１プレートには前記第１フレームよりも小さな第２フレームが取り付けられ、前記第２フレームに第３プレートが取り付けられ、前記第３プレートには前記第１プレートと逆側に向けて複数のＬＥＤ素子が並んで取り付けられている、前記［５］に記載の装飾体。
【考案の効果】
【０００６】
本考案によれば、発泡樹脂製のフレームが、文字、図形、記号の少なくとも何れかが付されるプレートの輪郭に沿った輪郭形状を有し、その輪郭で中空を囲むように形成されている。よって、ニーズに応じてプレートの形状や寸法を設定することができ、そのプレートの形状や寸法に応じてフレームを簡素な発泡樹脂材で構成することができる。したがって、製造作業工程が簡単で、また設置作業も簡易な各種ニーズに対応した広告、看板の各種媒体として提供できる装飾体を提供することができる。
【図面の簡単な説明】
【０００７】
【図１】本考案の第１実施形態に係る装飾体の正面図である。
【図２】図１に示す装飾体のＡ−Ａ線に沿う断面図である。
【図３】本考案の第２実施形態に係る装飾体の正面図である。
【図４】図３に示す装飾体のＢ−Ｂ線に沿う断面図である。
【図５】本考案の第３実施形態に係る装飾体の正面図である。
【図６】図５に示す装飾体のＣ−Ｃ線に沿う断面図である。
【考案を実施するための形態】
【０００８】
以下、図面を参照しながら本考案を実施するための形態について詳細に説明する。
【０００９】
［第１実施形態］
図１は本考案の第１実施形態に係る装飾体の正面図であり、図２は図１に示す装飾体のＡ−Ａ線に沿う断面図である。本考案の第１実施形態に係る装飾体１０は、図１及び図２に示すように、所望の形状を有するプレート１１Ａ，１１Ｂがフレーム１２に取り付けられて構成されている。
【００１０】
プレート１１Ａ及びプレート１１Ｂは、文字、図形、記号の少なくとも何れかが付され、例えばキャラクターが描かれて需要者を含む消費者に対して訴える文字を付すことが可能な形状を有している。プレート１１Ａ，プレート１１Ｂは何れもアクリル板であり、透光性を有している。
【００１１】
フレーム１２は、プレート１１Ａ，１１Ｂの輪郭に沿った輪郭形状を有しており、その輪郭で中空１２Ａを囲むように形成されている。プレート１２は、発泡樹脂製であり、一枚の発泡樹脂板から枠に沿って切り出してさらに中空１２Ａを開けて形成しても、また、複数の発泡材を各形状に対応させて加工して接着剤で貼り合せて中空１２Ａを形成してもよい。
【００１２】
図１に示した形態にあっては、フレーム１２の輪郭の内周面１２Ｂに一又は複数のＬＥＤモジュール１３が取り付けられ、各ＬＥＤモジュール１３がフレーム１２の中空１２Ａに向けて投光する。これにより、プレート１１Ａ，１１Ｂの少なくとも何れかに付した文字、図形、記号の何れかが中空１２Ａの内側から照らされ、需要者を含む消費者に対して注意喚起又は勧誘することができる。図１に示す装飾体１０は、例えば遊技場や屋内のショッピングモールや建物内に配置される。その配置箇所に設置できるように、装飾体１０は脚部１４を備えており、脚部１４は、プレート１１Ａ，１１Ｂとフレーム１２の各下部が用いられている。脚部１４には、ＬＥＤモジュール１３に電力を供給するためのトランス１５、即ちダウントランスを収容することができる収容領域１２Ｃが設けられている。収容領域１２Ｃは、フレーム１２で装飾体１０の厚み方向を画成し、プレート１１Ａ，１１Ｂの下部で覆われている。なお、プレート１１Ａには窓が設けられ、図１及び図２に示すように収容領域１２Ｃ内を調整可能にし、複数の空気穴を有する蓋１６が窓に取り付けられている。
【００１３】
本考案の第１実施形態によれば、発泡樹脂製のフレーム１２が、文字、図形、記号の少なくとも何れかが付されるプレート１１Ａ，１１Ｂの輪郭に沿った輪郭形状を有し、その輪郭で中空１２Ａを囲むように形成されている。よって、ニーズに応じてプレート１１Ａ，１１Ｂの形状や寸法を設定することができ、プレート１１Ａ，１１Ｂの形状や寸法に応じてフレーム１２を簡素な発泡樹脂材で構成することができる。したがって、作業工程が簡単で、各種ニーズに対応した広告、看板の各種媒体として提供できる装飾体１０を提供することができる。
【００１４】
［第２実施形態］
図３は本考案の第２実施形態に係る装飾体の正面図であり、図４は図３に示す装飾体のＢ−Ｂ線に沿う断面図である。本考案の第２実施形態に係る装飾体２０は、図３及び図４に示すように、所望の形状を有するプレート２１Ａ，２１Ｂがフレーム１２に取り付けられて構成されている。
【００１５】
第２実施形態に係る装飾体２０は第１実施形態に係る装飾体１０とプレート２１Ａ，２１Ｂの点で異なっている。プレート２１Ａ，２１Ｂは、何れも、フレーム１２の輪郭に沿った枠部２５と、枠部２５に取り付けられた本体部２６とで構成され、枠部２５に本体部２６が脱着自在に取り付けられている。プレート２１Ａ，３１Ｂの枠部２５，本体部２６は何れもアクリル板等で構成される。
【００１６】
図４に示すように、枠部２５の内周側に取付用のブラケット２７が中心方向に向けて延設して設けられ、ブラケット２７の先端部に対して本体部２６を貫通してビス２８が取り付けられる。取付用のブラケット２７は枠部２５に沿って間隔をあけて取り付けられることで、枠部２５から本体部２６を取り外し可能に取り付けられる。
【００１７】
第２実施形態によれば、本体部２６に付す文字、図形、記号等の需要者を含む一般消費者へ訴える情報、例えば、商品やサービスの値段を変えることが容易になり、装飾体２０の利便性を高めることができる。
【００１８】
また、第２実施形態では、プレート２１Ａ，２１Ｂにはプレートの輪郭の形状に沿ってＬＥＤ素子２９が並んで配置されている。図４に示した形態にあっては、ＬＥＤ素子２９が枠部２５に間隔をあけて並んで配置されている。複数のＬＥＤ素子２９が並んで配置されていることにより、ＬＥＤ素子２９がその並びの順に所定時間順番に発光することにより、ＬＥＤ光が走るように制御することもできる。これにより、第１及び第２プレート２１Ａ，２１Ｂに付した文字、図形、記号のみならず需要者を含む一般消費者に購買、消費をより促すことができる。なお、第２プレート２１Ａには窓が設けられ、図３及び図４に示すように収容領域１２Ｃ内を調整可能にし、複数の空気穴を有する蓋１６が窓に取り付けられている。
【００１９】
［第３実施形態］
図５は本考案の第３実施形態に係る装飾体の正面図であり、図６は図５に示す装飾体のＣ−Ｃ線に沿う断面図である。本考案の第３実施形態に係る装飾体３０は、図５及び図６に示すように、文字、図形、記号の少なくとも何れかが付された第１プレート３１Ａ及び第２プレート３１Ｂと、第１プレート３１Ａの輪郭に沿った輪郭形状を有してその輪郭で中空３３Ａを囲むように形成された発泡樹脂製の第１フレーム３２Ａとを備え、第１フレーム３２Ａの前後に第１プレート３１Ａと第２プレート３１Ｂとが対向するように取り付けられている。
【００２０】
さらに、第２プレート３１Ｂには、第１フレーム３１Ａよりも小さな第２フレーム３２Ｂが取り付けられ、第２フレーム３２Ｂに第２プレート３１Ｂと対向するように第３プレート３１Ｃが取り付けられて、第２フレーム３２Ｂと第１フレーム３１Ａ及び第３フレーム２１Ｃとで中空３３Ｂが画成されている。
【００２１】
第２プレート３１Ｂには第１プレート３１Ａに対向するように一又は複数のＬＥＤモジュール３４が取り付けられ、ＬＥＤモジュール３４により第１フレーム３１Ａ、第３フレーム３１Ｃに描かれている文字、図形、記号等が内側から照らされて情報提示力を高めることができる。
【００２２】
第３プレート３１Ｃには外向きに向けて複数のＬＥＤ素子３５が並んで設けられ、需要者を含む一般消費者に情報を提示することができる。
【００２３】
さらに第３実施形態に係る装飾体３０では、第２プレート３１Ｂの輪郭に沿った輪郭形状を有してその輪郭で中空３２Ｃを囲むように形成された発泡樹脂製の第３フレーム３Ｃが取り付けられ、さらに、第２プレート３１Ｂと同じ形状及び寸法の第４プレート３１Ｄが、第２プレート３１Ｂと対向するように第３フレーム３２Ｃに取り付けられる。中空３３Ｃには、トランス３６が収容され、トランス３６からＬＥＤモジュール３４及びＬＥＤ素子３５へ給電される。
【００２４】
第１プレート３１Ａはアクリル板などを用いることができ，第３プレート３１Ｃはアルミ複合板など用いることができ、第２プレート３１Ｂ，第４プレート３１Ｄは光を透過しないような塩化ビニールの発泡板を用いることができる。
【００２５】
第３実施形態によれば、第１フレーム３２Ａの両側に第１プレート３１Ａと第２プレート３１Ｂが取り付けられ、第２フレーム３２Ｂの両側に第１プレート３１Ａと第３プレート３１Ｃが取り付けられ、第３フレーム３２Ｃの両側に第２プレート３１Ｂと第４プレート３１Ｄとが取り付けられ、中空３３Ａ，３３Ｂ，３３Ｃが画成されている。
【００２６】
図６に示すように、第２フレーム３２Ｂ、第１フレーム３２Ａ、第３フレーム３２Ｃの順に寸法を大きくしており、第２フレーム３２Ｂは第３プレート３１Ｃの輪郭形状に沿って形成され、第１フレーム３２Ａは第１プレート３１Ａの輪郭形状に沿って形成され、第３フレーム３２Ｃは第２及び第４プレート３１Ｂ，３１Ｄの形状に沿って形成されている。
【００２７】
第１フレーム３２Ａの背面の第２プレート３１ＢにはＬＥＤモジュール３４が取り付けられ、第２フレーム３２Ｂの前面に第３プレート３１Ｃが取り付けられ、第３プレート３１ＣにＬＥＤ素子３５が並んで取り付けられる。
【００２８】
よって、ＬＥＤモジュール３４からの光が第１プレート３１Ａ及び第３プレート３１Ｃに後側から投光され、第１プレート３１Ａや第３プレート３１Ｃに描いた文字、図形、記号等が浮かび上がらせることができる。さらに、前面の第３プレート３１ＣにＬＥＤ素子３５を並べることで、需要者を含む一般消費者に対して訴求し購買力や消費力を高めることができる。
【００２９】
第３実施形態では、図６とは異なり、第１プレート３１Ａや第２プレート３１ＢにＬＥＤ素子を並べて所定の情報を提示するようにしてもよい。
【００３０】
本考案は、第１乃至第３実施形態に限らず、適宜変更して実施することができる。例えば、発泡樹脂製のフレームに対して両サイドにプレートを取り付け、これを段違いに連結して複雑な立体的な凹凸を醸し出してもよい。また、図１乃至図４に示す装飾体１０，２０の脚部１４を、回転テーブルに載せるようにしてもよい。
【符号の説明】
【００３１】
１０，２０，３０：装飾体
１１Ａ，１１Ｂ，２１Ａ，２１Ｂ：プレート
１２：フレーム
１２Ａ，３３Ａ，３３Ｂ，３３Ｃ：中空
１２Ｂ：内周面
１２Ｃ：収容領域
１３，３４：ＬＥＤモジュール
１４：脚部
１５，３６：トランス
１６：窓
２５：枠部
２６：本体部
２７：ブラケット
２８：ビス
２９，３５：ＬＥＤ素子
３１Ａ：第１プレート
３１Ｂ：第２プレート
３１Ｃ：第３プレート
３１Ｄ：第４プレート
３２Ａ：第１フレーム
３２Ｂ：第２フレーム
３２Ｃ：第３フレーム
【図１】
0003198707.tif 000003
【図２】
0003198707.tif 000004
【図３】
0003198707.tif 000005
【図４】
0003198707.tif 000006
【図５】
0003198707.tif 000007
【図６】
0003198707.tif 000008